(57)【特許請求の範囲】
【請求項１】
所定の板厚と横幅を有し相対向する長手方向の両側面部がそれぞれ板厚の内部を通って斜め下方へ貫通して直線状に形成された複数の係止孔を有し、長手方向の一端側に陳列時及びベルト携帯時の共通の係止手段としての引掛け穴を有する長方形状の板材と、
頭部が前記係止孔より大きく軸部が前記係止孔より小さく、且つ、前記両側面部の内の一側面部に形成された複数の係止孔から軸部が挿入されて頭部が前記係止孔から露出し隣接する前記軸部の間に、前記両側面部の内の他側面部の係止孔から挿入されて頭部が前記他側面部の係止孔から露出しているそれぞれの軸部が位置するように収納されてなる締結部材と、
前記係止孔を塞ぐシート材料を貫通して前記締結部材を前記係止孔に挿入することで生じるシート材料の破砕端片と当該締結部材の外周囲との係合による前記締結部材を前記係止孔内に係止するための保持手段と、
を具備していることを特徴とする締結部材携帯保持具。
【発明の詳細な説明】
【技術分野】
【０００１】
本発明は、複数のネジ、ボルト等の締結部材を携帯するための保持具に関する。
【背景技術】
【０００２】
従来から建築現場等でネジ、ボルト、ビスまたは釘等の締結部材を持ち運ぶときは、乱雑に複数の締結部材が包装されたプラスチック製容器から特許文献１に記載されているような、腰下げベルトに吊り下げ部を有した収納ケースに締結部材を移し替えて持ち運び作業を行っていた。
【先行技術文献】
【特許文献】
【０００３】
【特許文献１】特開２０１１−１０４７３４
【発明の概要】
【発明が解決しようとする課題】
【０００４】
しかし、上記に示すような道具入れを用いて締結部材を持ち運んで作業を行うと、移し替える途中で締結部材が転がり落ちたり、またネジのような締結部材を取り出す際は一つ一つが小さいため、収納ケースからネジを１本ずつ取り出したりすることは煩わしく作業効率が低いものである。
【０００５】
また、ネジのような小さな締結部材は持ちにくいため収納ケースからネジを取り出す際に誤って落下させてしまう恐れがある。その結果、ネジの紛失や損傷、または下方で作業している人が怪我をする危険性がある。更に、これらの締結部材は小袋に入れて販売されているので、使用時には袋を破って収納ケースに詰め替えなければならないような手間を有している。
【０００６】
本発明は上記課題を鑑みて、販売店から購入したそのままの状態で使用可能で収納ケースに詰め替える必要がなくなり、同時に持ち運びが容易で可能であり、作業を行う際にも効率良く締結部材を取り出すことができ、尚且つ取り出す際に締結部材を誤って落下させにくい締結部材携帯保持具を提供することにある。
【課題を解決するための手段】
【０００７】
上記目的を達成するために、この発明の締結部材携帯保持具は、所定の板厚と横幅を有し相対向する長手方向の両側面部がそれぞれ板厚の内部を通って斜め下方へ貫通して直線状に形成された複数の係止孔を有し、長手方向の一端側に陳列時及びベルト携帯時の共通の係止手段としての引掛け穴を有する長方形状の板材と、頭部が前記係止孔より大きく軸部が前記係止孔より小さく、且つ、前記両側面部の内の一側面部に形成された複数の係止孔から軸部が挿入されて頭部が前記係止孔から露出し隣接する前記軸部の間に、前記両側面部の内の他側面部の係止孔から挿入されて頭部が前記他側面部の係止孔から露出しているそれぞれの軸部が位置するように収納されてなる締結部材と、前記係止孔を塞ぐシート材料を貫通して前記締結部材を前記係止孔に挿入することで生じるシート材料の破砕端片と当該締結部材の外周囲との係合による前記締結部材を前記係止孔内に係止するための保持手段と、を具備していることを特徴とする。
【００１５】
前記係止合手段が板材を貫通する引掛け穴であることを特徴としたことにある
【発明の効果】
【００１６】
本発明の特徴によれば、板材の側面部において板材の板厚内部方向に開口した複数の係止孔を有しており、また係止孔内の締結部材を係止するための保持手段を有している。このために、締結部材は当該係止孔内に挿入されると係止孔から抜けずに保持されるので、板材に保持された状態で携帯することができる。また、当該係止孔の側面部から締結部材の頭部が露出しているので、使用時においては、使用者は一本毎の締結部材の頭部を認識できるため正確に締結部材を取り出すことができる。また同時に収納ケースで締結部材が乱雑にされた状態から取り出す必要がなくなり、既定位置で既定方向を向いた締結部材を取り出すことができるため、作業効率が増大する。また、係止孔の数は保持したい締結部材の数に応じて自由に設定することができる。
【００１９】
前記係止孔を塞ぐシート材料を貫通して前記締結部材を前記係止孔に挿入すると、破れたシート材料の破砕端片と当該締結部材の外周囲との係合により、締結部材の係止孔からの脱落を防止できると共に少ない力の作用で引き抜くことができる。
【００２０】
板材における係止孔が板材の一方の側面部から他方の側面部まで貫通することで、左右どちらの方向からも締結部材を挿入することができ、また締結部材の先端形状を確認することもでき締結部材の種類を判別することができる。
【００２２】
係止手段が引掛け穴であるので止め具に引掛けて携帯することができるなど、作業中常に、締結部材携帯保持具を手で持つ必要がなくなる。更にこの引掛け孔を用いて、商品を店頭に陳列する際には吊り下げ棒に引掛けて多数の商品を取り出し自在に陳列することができる。
【図面の簡単な説明】
【００２３】
【図１】本発明に係る締結部材携帯保持具の斜視図。
【図２】板材に透過孔を有した形態の平面図。
【図３】板材に番号が係止孔毎に振られネジの先端部を見える形態の平面図。
【図４】係止孔が貫通した形態の断面図。
【図５】締結部材携帯保持具の図１におけるＡ−Ａ断面の断面図の一部。
【図６】図４において係止孔の最奥部がネジの先端形状と略同一形状であるときの断面図。
【図７】締結部材携帯保持具の使用状態の一例を示す斜視図。
【図８】締結部材携帯保持具の使用状態の一例を示す斜視図。
【図９】締結部材携帯保持具の狭い場所でのリストバンド型の使用状態の一例を示す斜視図。
【図１０】本発明に係る複数の締結部材携帯保持具が小売店等で陳列された状態の斜視図。
【図１１】図１の締結部材携帯保持具が２段に積み重ねられた形態の斜視図。
【図１２】板材の側面部に対して斜め方向にネジが保持されている形態の斜視図。
【図１３】（ａ）１つの締結部材携帯保持具における係止孔がシート材料または内部に突起物を有している斜視図。（ｂ）係止孔の断面図。（ｃ）係止孔が片面粘着シートまたはシート材料により挟まれてネジが保持されている断面図。
【図１４】板材の端部にフックを有した形態の斜視図。
【発明を実施するための形態】
【００２４】
この発明の実施形態について以下図面を参照にしながら説明をする。図１は本発明の締結部材携帯保持具１の実施形態の斜視図を示している。締結部材携帯保持具１は板材２に係止孔３が形成されており、この係止孔３に締結部材としてのネジ４が収納されており、更にネジ４を係止孔３に保持するために、図５に示すような突起物５を有しており、また表面部６から裏面部７にかけて締結部材携帯保持具１を引掛けるための引掛け孔８を有している。
【００２５】
使用者Ｐは引掛け孔８に紐等を通して身に着けることができ、締結部材携帯保持具１を携帯することができる。当該締結部材携帯保持具１を用いてネジ４による締結作業を行うと、乱雑状態のネジ４から取り出す必要がなくなり、ネジ４の頭部１２が露出されており、軸部１１が係止孔３に保持されて収納されているため、収納されたネジ４は係止孔３を横一列に整列されて収納されており既定方向で既定位置のネジ４を手もしくは図１５に示すように磁性を有したビット付きの電動ドライバー１５を用いて取り出すことができるため、使用者Ｐはネジ４を取り出す効率が格段に上がり、作業内容によって異なるが本来ならばネジを３０本使い終わるのに２０〜３０分かかる作業時間とすれば約半分近い１５分で完了することができる。作業効率も上がると同時にネジ４の頭部１２を認識して取り出すことができるためネジ４を下に落とす危険性が少なくなる効果を有する。締結部材携帯保持具１のネジ４を使い終わった後は、予備の締結部材携帯保持具１３を付け替えることで作業を再び行うことができる。
【００２６】
板材２は主に直方体の形状として用いられ、表面部６または裏面部７、および側面部９からなり、当該板材２の長手側面部においてネジ４を収納して保持するための係止孔３が開口されている。図２に示すように表面部６または裏面部７の一方または両方の中心部分にネジ４の種類を外部からの目視によって判別するための透過孔１０を有していてもよい。透過孔１０によりネジ４の軸部１１を見ることができるため、収納されたネジ４を取り出さなくてもネジ４の種類を判断することができる。または、図３に示すように、ネジ４の軸部１１の中心部のみ板材２で覆われており、ネジ４の先端部が見えるような状態で保持することができ、これによりネジ４の種類を判別することができる。
【００２７】
ネジ４を保持することができれば、板材２の大きさは限定されず、形状も四角形だけでなく、三角形、多角形や円などの形状でもよい。また、図１１に示すように板材２の表面部６または裏面部７のどちらか一方に両面粘着シート１８を貼ることで２つの締結部材携帯保持具１を重ねるようにして２段の締結部材携帯保持具１とすることもできる。これにより、２倍の数のネジ４を保持して携帯することが可能になる。ネジ４等の締結部材が軽い場合や小さい場合は使用者Ｐの負担がかからない限度において、さらに３段、４段とした締結部材携帯保持具１とすることができ、収納して保持できる締結部材の数を増やすことができる。また、複数段の締結部材携帯保持具１にする方法は両面粘着シート１８を用いることに限定されず、接着剤、留め具、溶接器具、などを用いて板材２同士が固定できる手段を有してればよい。
【００２８】
板材２の色は保持しているネジ４の種類により変えれば、使用者Ｐは板材２の色を見るとすぐにネジ４の種類を判別することができる。また、板材２の素材はプラスチックなどの合成樹脂、紙、木材またはゴム製が好適に使用でき、ネジ４を保持することができれば素材は限定されないが、少なくとも締結部材携帯保持具１を積み重ねても下方の締結部材携帯保持具１が破損または変形しない程度の強度を有する必要がある。また板材２の素材が透明であれば前記透過孔１０はなくてもよい。また、板材２の板厚の内部に係止孔３を形成するのに代えて、板材２の表面部７や裏面部８に袋状の挿入袋を横方向に複数設けてもよい。
【００２９】
係止孔３は、ネジ４を収納するための孔であり、形状は円形に限られず楕円形、多角形、扇形または半円状など様々な形を有することができる。係止孔３の大きさはネジ４の大きさと略同一であり、形状は主に四角形のものであれば形成加工がし易く、適度の接触摩擦によって係止されるので好ましいが、ネジ４の頭部１２よりも小さい大きさであればよく、ネジ等の締結部材の形状や大きさにより最適な形を選択することができる。図５に示すように係止孔３同士間の距離Ｌは締結部材の頭部１２の大きさによって変えることができる。頭部１２が大きいほど係止孔３同士間の距離Ｌを大きくし、頭部１２同士が被らない程度にする必要がある。係止孔３の孔の方向は側面部９から板材２の板厚の内部横方向に直線状に形成されていればよく、図１２に示すように側面部９に対して垂直方向だけではなく斜め方向に対して形成されて締結部材を収納していてもよい。また図６、図１３において係止孔３は貫通していないが、図３から分かるように係止孔３は、側面部９を貫通していてもよく、貫通することでどちらの方向からもネジ４を収納することができる。側面部９の一方にネジ４を全て収納するよりも、左右交互にネジ４を収納することで係止孔３同士間の距離Ｌが短くなるため多量のネジ４を収納することができる。また、収納されているネジ４の頭部１２を見ることができるため、ネジ１２の残量をすぐに確認することができる。
【００３０】
図３に示すように板材２の表面部６または裏面部７に係止孔３に沿って番号などの識別印を付すことでネジ４の具体的な残数を確認することができる。これにより作業現場に締結部材携帯保持具１を複数個持ってゆく場合もネジ４の数を正確に把握して持っていくことができる。係止孔３は板材２の内部に形成されているため、係止孔３の素材は、主に板材２と同一であるが、係止孔３の形や締結部材の種類により板材２と別の素材を用いてもよい。例えば、係止孔３とネジ４の形状がどちらも円柱状で同一であれば接触面積が増えるため、摩擦係数の大きいゴムの素材だとネジ４が抜けにくくなる恐れがる。そのような同一形状で接触面積が大きい場合は摩擦の少ない素材を用いることが好ましい。
【００３１】
突起物５は、前述の通りネジ４が係止孔３から抜け出て脱落しないようにする役割を有しており、ネジ４一本につき少なくとも１つ以上の突起物５等の係止手段があれば好ましい。ネジ４の螺旋構造の窪み部分に突起物５が入り込むことで、ネジ４が引掛り係止孔３からネジ４が抜けにくい仕組みとなっている。突起物５の大きさは、突起物５が大きすぎると引掛りが大きくなりネジ４の出し入れが困難になるためネジ４の大きさによって変える必要があるが、ネジ４の出し入れが円滑に行うことができる程度の大きさであればよい。また、当該突起物５の設置位置は主にネジ４の中心部分上において設置されているが、ネジ４を保持することができれば設置位置はどこでもよい。
【００３２】
図１３（ａ）は、係止孔３の入口を塞ぐようにシート材料２０が貼られており、シート材料２０をネジ４などの締結部材が突き破るように挿入できる一体成形型の締結部材携帯保持具１となっている。これにより、この突き破られたシート材料２０の破断片がネジ４の外周囲を引掛けることで係止孔３から外に出ずに保持することができる。また、係止孔３とシート材料２０とが一体成形型となっていなくても、係止孔３の入口箇所にシート材料２０が覆われていればよく、例えば、図１３（ｂ）の係止孔３の入口を、（ｃ）に示すように、片面粘着シート１９で覆った締結部材携帯保持具１としてもよい。片面粘着シート１９を用いた方が、入口に被せるだけで保持手段を形成することができるため、容易に締結部材携帯保持具１を作製することができる。そして必要であれば、１つの係止孔３に突起物５と、片面粘着シート１９またはシート材料２０と、を併用して用いることもできるし、１つの締結部材携帯保持具１において、ある係止孔３は突起物５のみを有し、ある係止孔３は片面粘着シート１９またはシート材料２０のみを有し、ある係止孔３は突起物５と片面粘着シート１９またはシート材料２０とを両方有したような、係止孔３によって保持手段がそれぞれ異なる締結部材携帯保持具１としてもよい。シート材料２０または片面粘着シート１９は、紙、布、アルミニウム、ビニール、ポリエステル、ポリエチレン、ポリイミド、セロファン、アセテート、合成樹脂またはこれらの複合素材により形成される。
【００３３】
また、図６に示すようにネジ４の直径が係止孔３の直径とほぼ同一且つ、係止孔３の先端部の構造もネジ４の先端部と同一の形状とすることで、接触面積を増大させて摩擦力を上げ、ネジ４を保持することもできる。この場合は、係止孔３は板材２を貫通しておらず、突起物５によりネジ４を保持する場合と比べて、摩擦係数の大きい素材を適用する必要がある。また、ネジ４の先端部のみ摩擦係数の大きい材料とすることもできる。また、ネジ４と係止孔３とが摩擦力を有していれば、係止孔３の先端部の構造はネジ４の構造と略同一形状でなくてもよい。
【００３４】
引掛け穴８は締結部材携帯保持具１の端部に表面部６から裏面部７にかけて開けた孔であり、図７及び図８の実施例でも示すように、腰下げベルト１４のフック部分に紐をつけて引掛け孔８に紐やフック等をかけることで、手で所持しなくても腰等にぶら下げて締結部材携帯保持具１を携帯することができる。ネジ４を全て使い終わった後は、ネジ４が充填された予備の締結部材携帯保持具１３（１）と交換することですぐに再び用いることができる。また実際に使用するときは、図８に示すように、左手で締結部材携帯保持具１を持ち、右手で磁性を有したビットの電動ドライバー１５を持ちそのままネジ４の頭部１２に当てて差し込んで１本ずつネジ４を取り出して締め付ける。締付が終われば次のネジ４を同じようにして取り出して締め付ける作業を繰り返し行う。従って使用者Ｐはネジ４を手で触れることなく作業を連続して効率よく行うことができる。
【００３５】
また、本発明品を小売店等で陳列する際は、ハングタブタグフック等を有した包装容器を用いて本発明品を吊り下げ棒１７に吊り下げることもできるが、図１０に示すように当該引掛け孔８を吊り下げ棒１７に掛けて吊り下げることもできる。使用者Ｐは締結部材携帯保持具１を購入した後は、締結部材を収納ケースに詰め替える必要がなくなりそのまま作業現場に行って引掛け孔８に紐等を通してすぐに使用することができる。また、小売業者にとっても棚卸をする際、複数の重なった本発明品の厚みを測ることで本発明の個数がわかるため、締結部材携帯保持具１を数える必要がなくなる利点がある。
【００３６】
引掛け穴８に代えて、図１４に示すように、板材２の端部にフック２１を設けることで、使用者Ｐの腰等のベルトなどにフック２１をかけることも可能である。このようなフック２１を用いることで、着脱作業が容易に行うことができるので、作業中に紐等が邪魔になるような現場では当該手段が好適に用いられる。このように使用者Ｐの用途によって締結部材携帯保持具１を携帯する手段を変えることができ、携帯することができるものであれば引掛け穴８やフック２１以外の手段でもよい。
【００３７】
また、図９に示す実施例においては、締結部材携帯保持具１の板材２の表面部６または裏面部７のどちらか一面に面ファスナーを有しており作業者Ｐの腕に巻いたリストバンド１６と密着することにより、使用者Ｐの腕上でネジ４を保持することができる。本実施例においては例えば空間が狭い場所において作業をする際に利き手と逆の腕に締結部材携帯保持具１を取り付けることで、狭い場所でもスムーズに作業を行うことができる。また、本実施例においては使用者Ｐから見て腕の外側の係止孔３にネジ４を保持すると、腕に締結部材携帯保持具１を装着しているため、ネジ４が取り出しにくくなり腕の内側の係止孔３のみにネジ４を保持することが好ましい。また本実施例の場合においても、腰下げベルト１４のフック部分に予備の締結部材携帯保持具１３（１）を保持することができる。
【００３８】
以上の説明においては、締結部材をネジ４で説明したが、止着部としての軸の先端に頭部を具備している長尺な部材であれば釘やビスなどネジを刻んでいない締結部材であってもよい。
【００３９】
また、所定の板厚を有する板材の内部に直線状の係止孔を設ける実施例について説明したが、内部に係止孔を設けることに代えて、板材の表裏面に締結部材を一本ずつ収納する細長な袋状の収納孔を形成する定型状面材を貼り付けて具備するようにした締結部材携帯保持具であっても良い。このような実施例の場合には、定型状面材も板材の一部として捉えることが出来るので、本願の発明の範囲に含まれるものである。
【産業上の利用可能性】
【００４０】
本発明品は全体として簡易な構造をとっているため、工場で大量生産が可能であり、小売店で陳列して販売する際は、全体として直方体の形状であるため収まりがよく、隙間なく吊り下げて販売することができる。またネジ等の締結部材を用いて作業を行う者にとっても、締結部材を扱う作業効率が上昇するため、建築物等の完成までの時間を大幅に短縮することができ、その結果産業の発展に貢献することとなる。
【符号の説明】
【００４１】
１      締結部材携帯保持具
２      板材
３      係止孔
４      ネジ（締結部材）
５      突起物
６      表面部
７      裏面部
８      引掛け孔
９      側面部
１０    透過孔
１１    軸部
１２    頭部
１３    予備の締結部材携帯保持具
１４    腰下げベルト
１５    電動ドライバー
１６    リストバンド
１７    吊り下げ棒
１８    両面粘着シート
１９    片面粘着シート
２０    シート材料
２１    フック
【要約】
【課題】販売店から購入したそのままの状態で使用可能で収納ケースに詰め替える必要がなくなり、同時に持ち運びが容易で可能であり、作業を行う際にも効率良く締結部材を取り出すことができ、尚且つ取り出す際に締結部材を誤って落下させにくい締結部材携帯保持具を提供する。
【解決手段】上記目的を達成するために、所定の板厚と横幅を有する板材の側面部から板厚の内部横方向に直線状に形成された複数の係止孔と、前記係止孔に対して軸部が軸方向に挿入されて頭部が前記側面部から露出している締結部材と、前記締結部材を前記係止孔内に係止するための保持手段とを、具備していることを特徴とする。
【選択図】図１【図１】
0006871558.tif 000002
【図２】
0006871558.tif 000003
【図３】
0006871558.tif 000004
【図４】
0006871558.tif 000005
【図５】
0006871558.tif 000006
【図６】
0006871558.tif 000007
【図７】
0006871558.tif 000008
【図８】
0006871558.tif 000009
【図９】
0006871558.tif 000010
【図１０】
0006871558.tif 000011
【図１１】
0006871558.tif 000012
【図１２】
0006871558.tif 000013
【図１３】
0006871558.tif 000014
【図１４】
0006871558.tif 000015